(57)【要約】【課題】復調処理の遅延を抑制することができる受信機及び受信方法を提供すること。【解決手段】復調処理時の演算処理を行うＤＳＰ（Digital  Signal  Processor）を通信規格ごとに有し、ＨＳＰＡ通信を行わない場合には、ＨＳＰＡに対応するＤＳＰを休止状態にし、定期的にパスサーチを実行するたびにパス情報をパス情報記憶部に記憶させておき、ＨＳＰＡ通信開始時に、パス情報記憶部に記憶されているパス情報を用いて復調処理を行う。【選択図】図３
2010268311.tif 000002
【特許請求の範囲】
【請求項１】
第一の通信規格に準拠した第一の信号と、第二の通信規格に準拠した第二の信号とを、複数のパスを介して受信する受信機であって、
前記複数のパスに関する情報であるパス情報を取得するパス情報取得部と、
前記パス情報取得部によって取得されたパス情報をパスごとに記憶するパス情報記憶部と、
前記第一の通信規格による通信を行う場合に、前記パス情報取得部によって取得されたパス情報に基づいて、通信に用いるパスを選択する第一のパス選択部と、
前記第二の通信規格による通信を行う場合に、前記第二の信号を処理する処理部を休止状態から起動状態に切り替え制御する制御部と、
前記制御部によって休止状態から起動状態に切えられた場合に、前記パス情報記憶部に記憶されているパス情報に基づいて、通信に用いるパスを選択する第二のパス選択部と、
前記第一のパス選択部又は第二のパス選択部によって選択されたパスを伝送する信号を復調する復調部と
を備えたことを特徴とする受信機。
【請求項２】
複数のパスを介して信号を受信する受信機であって、
前記複数のパスに関する情報であるパス情報を取得するパス情報取得部と、
前記パス情報取得部によって取得されたパス情報をパスごとに記憶するパス情報記憶部と、
通信を行う場合に、前記信号を処理する処理部を休止状態から起動状態に切り替え制御する制御部と、
前記制御部によって休止状態から起動状態に切えられた場合に、前記パス情報記憶部に記憶されているパス情報に基づいて、通信に用いるパスを選択するパス選択部と、
前記パス選択部によって選択されたパスを伝送する信号を復調する復調部と
を備えたことを特徴とする受信機。
【請求項３】
第一の通信規格に準拠した第一の信号と、第二の通信規格に準拠した第二の信号とを、複数のパスを介して受信する受信機であって、
前記第一の通信規格による通信を行っている場合に、前記複数のパスに関する情報であるパス情報を定期的に取得し、前記第二の通信規格による通信を行う場合に、定期的にパス情報を取得する処理を停止するとともに、前記第二の通信規格による通信に用いられるセルであるサービングセルのパス情報を取得するパス情報取得部と、
前記第一の通信規格による通信を行う場合に、前記パス情報取得部によって定期的に取得されたパス情報に基づいて、通信に用いるパスを選択する第一のパス選択部と、
前記第二の通信規格による通信を行う場合に、前記第二の信号を処理する処理部を休止状態から起動状態に切り替え制御する制御部と、
前記制御部によって休止状態から起動状態に切えられた場合に、前記パス情報取得部によって取得されたサービングセルのパス情報に基づいて、通信に用いるパスを選択する第二のパス選択部と、
前記第一のパス選択部又は第二のパス選択部によって選択されたパスを伝送する信号を復調する復調部と
を備えたことを特徴とする受信機。
【請求項４】
前記パス情報取得部は、ハンドオーバに伴って新たなセルであるハンドオーバセルのパス情報を取得する処理を行っている間に前記第二の通信規格による通信を行う場合に、定期的にパス情報を取得する処理を停止するとともに、前記サービングセル、かつ、前記ハンドオーバセルであるセルのパス情報を取得することを特徴とする請求項３に記載の受信機。
【請求項５】
前記パス情報取得部は、前記サービングセル、かつ、前記ハンドオーバセルであるセルのパス情報を取得した後に、前記ハンドオーバセルのうち、前記サービングセルと異なるセルのパス情報を取得し、前記サービングセルのうち、前記ハンドオーバセルと異なるセルのパス情報を取得することを特徴とする請求項４に記載の受信機。
【請求項６】
第一の通信規格に準拠した第一の信号と、第二の通信規格に準拠した第二の信号とを、複数のパスを介して受信する受信機による受信方法であって、
前記受信機が、
前記複数のパスに関する情報であるパス情報を取得するパス情報取得ステップと、
前記パス情報取得ステップによって取得されたパス情報をパスごとに、パス情報記憶部に格納するパス情報格納ステップと、
前記第一の通信規格による通信を行う場合に、前記パス情報取得ステップによって取得されたパス情報に基づいて、通信に用いるパスを選択する第一のパス選択ステップと、
前記第二の通信規格による通信を行う場合に、前記第二の信号を処理する処理部を休止状態から起動状態に切り替え制御する制御ステップと、
前記制御ステップによって休止状態から起動状態に切えられた場合に、前記パス情報記憶部に記憶されているパス情報に基づいて、通信に用いるパスを選択する第二のパス選択ステップと、
前記第一のパス選択ステップ又は第二のパス選択ステップによって選択されたパスを伝送する信号を復調する復調ステップと
を含んだことを特徴とする受信方法。
【発明の詳細な説明】
【技術分野】
【０００１】
本発明は、受信機及び受信方法に関する。
【背景技術】
【０００２】
近年、移動体無線通信の分野では、通信速度の高速化が進んでおり、３．５Ｇ（３．５th  Generation）のＨＳＰＡ（High  Speed  Packet  Access）が運用されつつある。ＨＳＰＡとは、ＨＳＤＰＡ（High  Speed  Downlink  Packet  Access）と、ＨＳＵＰＡ（High  Speed  Uplink  Packet  Access）との総称である。
【０００３】
ＨＳＰＡを運用する場合、携帯端末等の受信機は、３Ｇ（3rd  Generation）の通信規格に準拠した信号と、ＨＳＰＡに準拠した信号とを復調することになる。このため、ＨＳＰＡ通信に対応する受信機は、３Ｇ（3rd  Generation）の通信規格だけに対応する受信機よりも復調処理量が増大する。このことは、ＨＳＰＡを運用する場合に、受信機が、要求されている時間内に復調処理を終了させることができないおそれがあるという問題を招く。特に、ＨＳＰＡ通信を行っている場合には、高速に復調処理を行うことが要求されるので、要求されている時間内に復調処理を行えない可能性が高くなる。
【０００４】
そこで、受信機には、各種演算処理を行うＤＳＰ（Digital  Signal  Processor）を通信規格ごとに有することで、復調処理を分散させるものがある。かかる点について、図１３を用いて具体的に説明する。図１３は、従来の受信機９００の構成例を示す図である。図１３に示した例において、従来の受信機９００は、アンテナ９１０と、インタフェース（以下、「Ｉ／Ｆ」と言う）９２０と、制御部９３０と、ベースバンド部９４０と、パス選択部９５０とを有する。
【０００５】
アンテナ９１０は、基地局などの送信機から、複数のパスを介して信号を受信する。Ｉ／Ｆ９２０は、アンテナ９１０によって受信された信号をベースバンド部９４０へ送信する。制御部９３０は、受信機９００を全体制御する。ベースバンド部９４０は、パス情報取得部９４１と、復調部９４２とを有する。パス情報取得部９４１は、定期的にパスサーチを実行して各パスのパス情報を取得する。復調部９４２は、Ｉ／Ｆ９２０から入力された信号を復調する。
【０００６】
また、パス選択部９５０は、３Ｇ用パス選択部９５１と、ＨＳＤＰＡ用パス選択部９５２と、ＨＳＵＰＡ用パス選択部９５３とを有する。これらの３Ｇ用パス選択部９５１、ＨＳＤＰＡ用パス選択部９５２、ＨＳＵＰＡ用パス選択部９５３は、一般に、ＤＳＰであり、パス情報取得部９４１によって定期的に取得されたパス情報に基づいて、通信に用いるパスを選択する。
【０００７】
なお、上述した復調部９４２は、パス選択部９５０によって選択されたパスを伝送する信号をＲＡＫＥ（レイク）合成した後に、復調処理を行う。具体的には、３Ｇの通信規格による通信を行う場合、復調部９４２は、３Ｇ用パス選択部９５１によって選択されたパスを用いて復調処理を行う。また、ＨＳＤＰＡ通信を行う場合には、復調部９４２は、ＨＳＤＰＡ用パス選択部９５２によって選択されたパスを用いて復調処理を行う。また、ＨＳＵＰＡ通信を行う場合には、復調部９４２は、ＨＳＵＰＡ用パス選択部９５３によって選択されたパスを用いて復調処理を行う。
【０００８】
このように、従来の受信機９００は、パス選択処理を行うＤＳＰを通信規格ごとに有することにより、復調処理を高速化している。一方で、複数のＤＳＰを有することで消費電力が増大するという問題もある。そこで、受信機９００は、ＨＳＰＡ通信を行っていない場合に、ＨＳＤＰＡ用パス選択部９５２と、ＨＳＵＰＡ用パス選択部９５３とを休止状態（「ｓｌｅｅｐ」とも呼ばれる）に切り替える。そして、受信機９００は、ＨＳＤＰＡ通信を開始する場合に、ＨＳＤＰＡ用パス選択部９５２を起動状態に切り替え、ＨＳＵＰＡ通信を開始する場合に、ＨＳＵＰＡ用パス選択部９５３を起動状態に切り替える。
【先行技術文献】
【特許文献】
【０００９】
【特許文献１】特開２０００−１５１５５８号公報
【特許文献２】特開２００４−２２９１１３号公報
【発明の概要】
【発明が解決しようとする課題】
【００１０】
しかしながら、上述した従来技術には、ＨＳＰＡ通信時に復調処理が遅延する場合があるという問題があった。かかる問題点について、図１４及び図１５を用いて具体的に説明する。図１４及び図１５は、従来の受信機９００によって実行されるパスサーチの一例を示す図である。なお、図１４及び図１５に示した例において、従来の受信機９００は、セルＡ、Ｂ及びＣのパスサーチを行うものとする。また、以下では、セル「Ｘ」のパスサーチを「パスサーチＸ」と表記するものとする。
【００１１】
図１４に示した例において、パス情報取得部９４１は、時刻ｔ１０に、パスサーチＡ、Ｂ、Ｃを順に実行する。そして、パス情報取得部９４１は、所定の周期が経過して時刻ｔ２０になった場合に、再度、パスサーチＡ、Ｂ、Ｃを順に実行する。このように、パス情報取得部９４１は、定期的にパスサーチを実行する。
【００１２】
ここで、受信機９００が３Ｇの通信規格による通信を行う場合、３Ｇ用パス選択部９５１は、パス情報取得部９４１から定期的に入力されるパス情報に基づいてパスを選択する。そして、復調部９４２は、３Ｇ用パス選択部９５１によって選択されたパスを伝送する信号をＲＡＫＥ合成して、ＲＡＫＥ合成した信号を復調する。
【００１３】
一方、受信機９００は、ＨＳＤＰＡ通信を開始する場合、まず、ＨＳＤＰＡ用パス選択部９５２を休止状態から起動状態に切り替える。起動されたＨＳＤＰＡ用パス選択部９５２は、パス情報取得部９４１からパス情報を入力されるまで待ち状態になる。例えば、図１４に示した例において、受信機９００が、時刻ｔ１１の時点で、セルＡを用いたＨＳＤＰＡ通信を開始するものとする。かかる場合、制御部９３０は、時刻ｔ１１以降にＨＳＤＰＡ用パス選択部９５２を起動することになる。起動したＨＳＤＰＡ用パス選択部９５２は、時刻ｔ２１にパス情報取得部９４１からパス情報を入力されるまでパス選択処理を行うことができない。
【００１４】
同様に、例えば、受信機９００が、時刻ｔ１２の時点でセルＡを用いたＨＳＤＰＡ通信を開始する場合にも、ＨＳＤＰＡ用パス選択部９５２は、時刻ｔ２１までパス選択処理を行うことができない。なお、上記例では、ＨＳＤＰＡ通信を開始する場合を例に挙げて説明したが、ＨＳＵＰＡ通信を開始する場合、ＨＳＵＰＡ用パス選択部９５３は、パス情報取得部９４１からパス情報を入力されるまでパス選択処理を行うことができない。
【００１５】
このように、ＨＳＰＡ通信を開始する場合、ＨＳＤＰＡ用パス選択部９５２やＨＳＵＰＡ用パス選択部９５３は、パス情報を入力されるまでパス選択処理を行うことができない。このため、復調部９４２によって行われる復調処理に遅延が発生する。ＨＳＰＡ通信時は高速処理が要求されているため、復調処理の遅延は重要な問題になる。
【００１６】
また、図１５に示した例のように、ハンドオーバ（Hand  Over）が発生してパス情報取得部９４１により新たなセルのパスサーチが実行される場合、復調部９４２による復調処理は、図１４に示した例よりも遅延する可能性がある。具体的には、図１５に示した例において、受信機９００は、時刻ｔ２０に、ハンドオーバに伴ってセルＤのパスサーチを実行するものとする。かかる場合、パス情報取得部９４１は、定期的に行っているパスサーチ（以下、「定期パスサーチ」と言う）を中断してパスサーチＤを行う。そして、パス情報取得部９４１は、パスサーチＤを実行した後に、定期パスサーチを再開する。
【００１７】
すなわち、図１５に示した例において、受信機９００が時刻ｔ１１にＨＳＰＡ通信を開始する場合、ＨＳＤＰＡ用パス選択部９５２やＨＳＵＰＡ用パス選択部９５３は、少なくとも時刻ｔ２１までパス選択処理を行うことができない。
【００１８】
以上のように、上述した従来の受信機は、ＨＳＰＡ通信を開始する場合に、復調処理が遅延する場合があるため、ＨＳＰＡ通信の立ち上がりが遅延するという問題があった。かかる問題は、スループットの低下を招く。なお、各パス選択部９５１〜９５３を常に起動状態にしておくことも考えられるが、消費電力を低減するためには、全てのＤＳＰを常に起動状態にしておくことは望ましくない。
【００１９】
開示の技術は、上記に鑑みてなされたものであって、復調処理の遅延を抑制することができる受信機及び受信方法を提供することを目的とする。
【課題を解決するための手段】
【００２０】
本願の開示する受信機は、一つの態様において、第一の通信規格に準拠した第一の信号と、第二の通信規格に準拠した第二の信号とを、複数のパスを介して受信する受信機であって、前記複数のパスに関する情報であるパス情報を取得するパス情報取得部と、前記パス情報取得部によって取得されたパス情報をパスごとに記憶するパス情報記憶部と、前記第一の通信規格による通信を行う場合に、前記パス情報取得部によって取得されたパス情報に基づいて、通信に用いるパスを選択する第一のパス選択部と、前記第二の通信規格による通信を行う場合に、前記第二の信号を処理する処理部を休止状態から起動状態に切り替え制御する制御部と、前記制御部によって休止状態から起動状態に切えられた場合に、前記パス情報記憶部に記憶されているパス情報に基づいて、通信に用いるパスを選択する第二のパス選択部と、前記第一のパス選択部又は第二のパス選択部によって選択されたパスを伝送する信号を復調する復調部とを備える。
【００２１】
本願の開示する受信機は、一つの態様において、第一の通信規格に準拠した第一の信号と、第二の通信規格に準拠した第二の信号とを、複数のパスを介して受信する受信機であって、前記第一の通信規格による通信を行っている場合に、前記複数のパスに関する情報であるパス情報を定期的に取得し、前記第二の通信規格による通信を行う場合に、定期的にパス情報を取得する処理を停止するとともに、前記第二の通信規格による通信に用いられるセルであるサービングセルのパス情報を取得するパス情報取得部と、前記第一の通信規格による通信を行う場合に、前記パス情報取得部によって定期的に取得されたパス情報に基づいて、通信に用いるパスを選択する第一のパス選択部と、前記第二の通信規格による通信を行う場合に、前記第二の信号を処理する処理部を休止状態から起動状態に切り替え制御する制御部と、前記制御部によって休止状態から起動状態に切えられた場合に、前記パス情報取得部によって取得されたサービングセルのパス情報に基づいて、通信に用いるパスを選択する第二のパス選択部と、前記第一のパス選択部又は第二のパス選択部によって選択されたパスを伝送する信号を復調する復調部とを備える。
【発明の効果】
【００２２】
本願の開示する受信機及び受信方法の一つの態様によれば、復調処理の遅延を抑制することができるという効果を奏する。
【図面の簡単な説明】
【００２３】
【図１】図１は、実施例１に係る受信機による復調処理を説明するための図である。
【図２】図２は、実施例１に係る受信機による復調処理を説明するための図である。
【図３】図３は、実施例１に係る受信機の構成例を示す図である。
【図４】図４は、実施例１に係る受信機によるパスサーチ処理手順を示すフローチャートである。
【図５】図５は、実施例１に係る受信機によるＨＳＰＡ通信処理手順を示すフローチャートである。
【図６】図６は、実施例２に係る受信機によるパスサーチ処理を説明するための図である。
【図７】図７は、実施例２に係る受信機によるパスサーチ処理を説明するための図である。
【図８】図８は、実施例２に係る受信機によるパスサーチ処理を説明するための図である。
【図９】図９は、実施例２に係る受信機によるパスサーチ処理を説明するための図である。
【図１０】図１０は、実施例２に係る受信機によるパスサーチ処理を説明するための図である。
【図１１】図１１は、実施例２に係る受信機の構成例を示す図である。
【図１２】図１２は、実施例２に係る受信機によるパスサーチ処理手順を示すフローチャートである。
【図１３】図１３は、従来の受信機の構成例を示す図である。
【図１４】図１４は、従来の受信機によって行われるパスサーチの一例を示す図である。
【図１５】図１５は、従来の受信機によって行われるパスサーチの一例を示す図である。
【発明を実施するための形態】
【００２４】
以下に、本願の開示する受信機及び受信方法の実施例を図面に基づいて詳細に説明する。なお、この実施例により本願の開示する受信機及び受信方法が限定されるものではない。以下の実施例では、受信機が通信に用いることが可能であるセルを「サービングセル」と表記し、ハンドオーバに伴って受信機が新たに通信可能となるセルを「ＨＯサービングセル」と表記し、ＨＳＰＡ通信に用いられるセルを「ＨＳＰＡサービングセル」と表記するものとする。また、以下の実施例において、ハンドオーバは、ソフトハンドオーバ（ＳＨＯ：Soft  Hand  Over）、及び、ハードハンドオーバ（ＨＨＯ：Hard  Hand  Over）のいずれであってもよい。
【実施例１】
【００２５】
［実施例１に係る受信機１００による復調処理］
まず、実施例１に係る受信機１００による復調処理について説明する。実施例１に受信機１００は、パス選択処理を行うＤＳＰを通信規格ごとに有する。ここでは、受信機１００は、３Ｇ用パス選択部、ＨＳＤＰＡ用パス選択部、ＨＳＵＰＡ用パス選択部を有するものとする。
【００２６】
そして、受信機１００は、定期パスサーチを実行することによりパス情報を取得する。実施例１に係る受信機１００は、パス情報を取得するたびに、取得したパス情報を所定の記憶デバイスに記憶させる。なお、実施例１では、受信機１００は、取得したパス情報をパス情報記憶部に記憶させるものとする。そして、受信機１００は、ＨＳＤＰＡ通信を開始する場合、パス情報記憶部に記憶されているパス情報に基づいてパス選択処理を行う。そして、受信機１００は、選択したパスを伝送する信号をＲＡＫＥ合成して、ＲＡＫＥ合成した信号を復調する。
【００２７】
図１及び図２を用いて具体的に説明する。図１及び図２は、実施例１に係る受信機１００による復調処理を説明するための図である。図１に示した例において、受信機１００は、時刻ｔ１０に、パスサーチＡ、Ｂ、Ｃを順に実行する。このとき、受信機１００は、パスサーチＡ、Ｂ、Ｃにより取得したパス情報をパス情報記憶部させる。
【００２８】
ここで、受信機１００は、例えば、パスサーチＢが実行中である時刻ｔ１１に、セルＡを用いたＨＳＰＡ通信を開始する場合、ＨＳＰＡ通信に対応するパス選択部を起動して、パス情報記憶部に記憶されているセルＡのパス情報に基づいてパス選択処理を行う。そして、受信機１００は、選択したパスを伝送する信号をＲＡＫＥ合成して、ＲＡＫＥ合成した信号を復調する。
【００２９】
同様に、例えば、時刻ｔ１２にセルＡ〜Ｃのいずれかを用いたＨＳＰＡ通信を開始する場合、受信機１００は、ＨＳＰＡ通信に対応するパス選択部を起動して、パス情報記憶部に記憶されているパス情報に基づいてパス選択処理を行う。
【００３０】
すなわち、受信機１００は、時刻ｔ１１やｔ１２にＨＳＰＡ通信を開始する場合であっても、時刻ｔ２０に実行されるパスサーチＡの終了を待たずに復調処理を行うことができる。
【００３１】
このように、実施例１に係る受信機１００は、パスサーチを実行するたびにパス情報をパス情報記憶部に記憶させておくので、ＨＳＰＡ通信開始時に復調処理を行うことができる。このため、受信機１００は、復調処理の遅延を抑制することができ、その結果、スループットの低下を抑制することができる。
【００３２】
なお、受信機１００は、３Ｇの通信規格に準拠した信号を受信する場合には、定期的に取得するパス情報に基づいてパス選択処理を行ってもよいし、パス情報記憶部に記憶されているパス情報に基づいてパス選択処理を行ってもよい。
【００３３】
また、図２に示すように、受信機１００は、ハンドオーバに伴って新たなセルのパスサーチを実行する場合であっても、復調処理の遅延を抑制することができる。具体的には、図２に示した例において、受信機１００は、時刻ｔ２０に、ＨＯサービングセルのパスサーチＤを実行している。ここで、時刻ｔ１２にセルＡを用いたＨＳＰＡ通信を開始する場合、受信機１００は、パス情報記憶部に記憶されているセルＡのパス情報に基づいてパス選択処理を行う。このため、受信機１００は、時刻ｔ２１に実行されるパスサーチＡの終了を待たずに復調処理を行うことができるので、復調処理の遅延を抑制することができる。
【００３４】
［実施例１に係る受信機１００の構成］
次に、図３を用いて、実施例１に係る受信機１００の構成について説明する。図３は、実施例１に係る受信機１００の構成例を示す図である。図３に示すように、受信機１００は、アンテナ１１０と、Ｉ／Ｆ１２０と、制御部１３０と、ベースバンド部１４０と、パス選択部１５０と、パス情報記憶部１６０とを有する。なお、図３では、実施例１における復調処理に関連する構成を図示している。
【００３５】
アンテナ１１０は、基地局などの送信機から、複数のパスを介して信号を受信する。例えば、アンテナ１１０は、３Ｇの通信規格に準拠した信号や、ＨＳＰＡに準拠した信号を受信する。Ｉ／Ｆ１２０は、アンテナ１１０によって受信された信号をベースバンド部１４０へ送信する。
【００３６】
制御部１３０は、受信機１００を全体制御する。例えば、制御部１３０は、所定の周期が経過するたびに、後述するベースバンド部１４０のパス情報取得部１４１に対して、パスサーチを実行するように指示する。また、例えば、制御部１３０は、後述するパス選択部１５０を起動状態から休止状態に切り替えたり、反対に、休止状態から起動状態に切り替えたりする。なお、制御部１３０による状態切替処理については後述する。
【００３７】
ベースバンド部１４０は、Ｉ／Ｆ１２０から入力された信号を処理して復調する。具体的には、ベースバンド部１４０は、図３に示すように、パス情報取得部１４１と、復調部１４２とを有する。
【００３８】
パス情報取得部１４１は、制御部１３０の指示に従って、全てのサービングセルについて定期パスサーチを実行し、セルごとにパス情報を取得する。具体的には、パス情報取得部１４１は、定期的に、各パスを伝送する信号について遅延プロファイルを算出し、算出した遅延プロファイルに基づいて、パスごとにパスタイミングと、受信信号の電波レベルを取得する。そして、パス情報取得部１４１は、取得したパスタイミングと、電波レベルとをパス選択部１５０へ出力する。なお、実施例１において、パス情報とは、パスタイミングと電波レベルとを示すものとする。
【００３９】
図１に示した例を用いて説明すると、パス情報取得部１４１は、時刻ｔ１０、ｔ２０に、定期パスサーチＡ〜Ｃを実行する。そして、パス情報取得部１４１は、定期パスサーチＡ〜Ｃを実行するたびに、取得したパス情報をパス選択部１５０へ出力する。
【００４０】
また、パス情報取得部１４１は、ハンドオーバが発生した場合に、制御部１３０の指示にしたがって、ＨＯサービングセルのパスサーチを実行する。具体的には、パス情報取得部１４１は、上述した定期パスサーチと同様のパスサーチを実行することにより、パス情報を取得して、取得したパス情報をパス選択部１５０へ出力する。
【００４１】
図２に示した例を用いて説明すると、パス情報取得部１４１は、時刻ｔ２０に、ＨＯサービングセルＤのパスサーチＤを実行する。そして、パス情報取得部１４１は、パスサーチＤを実行することにより取得したパス情報をパス選択部１５０へ出力する。
【００４２】
復調部１４２は、後述するパス選択部１５０によって選択されたパスを伝送する信号を復調する。具体的には、復調部１４２は、受信信号の通信規格によって、後述する３Ｇ用パス選択部１５１、ＨＳＤＰＡ用パス選択部１５２又はＨＳＵＰＡ用パス選択部１５３のいずれによって選択されたパスを用いるかを決定する。
【００４３】
例えば、３Ｇの通信規格に準拠した通信を行っている場合、復調部１４２は、３Ｇ用パス選択部１５１によって選択されたパスを用いて復調処理を行う。また、ＨＳＤＰＡ通信を行っている場合、復調部１４２は、ＨＳＤＰＡ用パス選択部１５２によって選択されたパスを用いて復調処理を行う。また、ＨＳＵＰＡ通信を行っている場合、復調部１４２は、ＨＳＵＰＡ用パス選択部１５３によって選択されたパスを用いて復調処理を行う。
【００４４】
パス選択部１５０は、３Ｇ用パス選択部１５１と、ＨＳＤＰＡ用パス選択部１５２と、ＨＳＵＰＡ用パス選択部１５３とを有する。上述した制御部１３０は、３Ｇ用パス選択部１５１、ＨＳＤＰＡ用パス選択部１５２、ＨＳＵＰＡ用パス選択部１５３の状態を切り替える処理を行う。実施例１では、制御部１３０は、ＨＳＤＰＡ用パス選択部１５２、ＨＳＵＰＡ用パス選択部１５３の状態を切り替えるものとする。
【００４５】
具体的には、制御部１３０は、ＨＳＤＰＡ通信を開始する場合に、ＨＳＤＰＡ用パス選択部１５２を休止状態から起動状態に切り替える。反対に、制御部１３０は、ＨＳＤＰＡ通信が終了した場合に、ＨＳＤＰＡ用パス選択部１５２を起動状態から休止状態に切り替える。また、制御部１３０は、ＨＳＵＰＡ通信を開始する場合に、ＨＳＵＰＡ用パス選択部１５３を休止状態から起動状態に切り替える。反対に、制御部１３０は、ＨＳＵＰＡ通信が終了した場合に、ＨＳＵＰＡ用パス選択部１５３を起動状態から休止状態に切り替える。すなわち、実施例１において、３Ｇ用パス選択部１５１は、常に起動状態である。
【００４６】
３Ｇ用パス選択部１５１は、パス情報取得部１４１から入力されたパス情報に基づいて、通信に用いるパスを選択する。具体的には、３Ｇ用パス選択部１５１は、パス情報に含まれる電波レベルを用いて、電波レベルの高い信号が伝送されたパスを優先的に選択する。そして、３Ｇ用パス選択部１５１は、パス情報に含まれるパスタイミングを用いて、選択したパスの遅延量を算出し、算出した遅延量を復調部１４２へ出力する。
【００４７】
また、３Ｇ用パス選択部１５１は、パス情報取得部１４１から取得したパス情報を、パス情報記憶部１６０に記憶させる。具体的には、３Ｇ用パス選択部１５１は、セルを識別するためのセル識別子に対応付けて、パスごとにパス情報をパス情報記憶部１６０に記憶させる。３Ｇ用パス選択部１５１は、パス情報取得部１４１から定期的にパス情報を取得するたびに、パス情報をパス情報記憶部１６０に記憶させる。
【００４８】
なお、３Ｇ用パス選択部１５１は、選択したパスのパス情報のみをパス情報記憶部１６０に記憶させてもよい。これにより、後述するＨＳＤＰＡ用パス選択部１５２やＨＳＵＰＡ用パス選択部１５３によって行われるパス選択処理に負荷を低減することができる。
【００４９】
ＨＳＤＰＡ用パス選択部１５２は、受信機１００がＨＳＤＰＡ通信を開始する場合に、制御部１３０によって起動される。起動した後に、ＨＳＤＰＡ用パス選択部１５２は、パス情報記憶部１６０に記憶されているパス情報を取得する。このとき、ＨＳＤＰＡ用パス選択部１５２は、パス情報記憶部１６０から、ＨＳＰＡサービングセルに対応付けて記憶されているパス情報を取得する。例えば、セルＡを用いてＨＳＤＰＡ通信が行われる場合、ＨＳＤＰＡ用パス選択部１５２は、パス情報記憶部１６０から、セルＡを示すセル識別子に対応付けて記憶されているパス情報を取得する。
【００５０】
そして、ＨＳＤＰＡ用パス選択部１５２は、取得したパス情報に基づいて、ＨＳＤＰＡ通信に用いるパスを選択し、選択したパスに関する情報を復調部１４２へ出力する。なお、ここで言う「パスに関する情報」とは、上述した「選択したパスの遅延量」を示す。
【００５１】
ＨＳＵＰＡ用パス選択部１５３は、受信機１００がＨＳＵＰＡ通信を開始する場合に、制御部１３０によって起動される。起動した後に、ＨＳＵＰＡ用パス選択部１５３は、パス情報記憶部１６０に記憶されているパス情報を取得する。そして、ＨＳＵＰＡ用パス選択部１５３は、取得したパス情報に基づいて、ＨＳＵＰＡ通信に用いるパスを選択し、選択したパスに関する情報を復調部１４２へ出力する。
【００５２】
パス情報記憶部１６０は、パス情報取得部１４１によって取得されたパス情報を記憶する。具体的には、パス情報記憶部１６０は、セル識別子に対応付けて、パスごとに、パスタイミングと、信号の電波レベルとを記憶する。なお、パス情報記憶部１６０は、セル識別子として、例えば、スクランブリングコードを記憶する。
【００５３】
［実施例１に係る受信機１００によるパスサーチ処理手順］
次に、図４を用いて、実施例１に係る受信機１００によるパスサーチ処理の手順について説明する。図４は、実施例１に係る受信機１００によるパスサーチ処理手順を示すフローチャートである。
【００５４】
図４に示すように、受信機１００のパス情報取得部１４１は、パスサーチを実行するタイミングになった場合に（ステップＳ１０１肯定）、パスサーチを実行する（ステップＳ１０２）。ここで言う「パスサーチを実行するタイミング」とは、定期パスサーチを実行するタイミングや、ＨＯサービングセルのパスサーチを実行するタイミングを示す。
【００５５】
パス情報取得部１４１は、パスサーチを実行することにより、パス情報を取得する。具体的には、パス情報取得部１４１は、各セルのパスごとにパスタイミングと、受信信号の電波レベルを取得する。そして、パス情報取得部１４１は、取得したパス情報を、起動状態であるパス選択部へ出力する（ステップＳ１０３）。
【００５６】
例えば、３Ｇ用パス選択部１５１は、常に起動状態であるので、パス情報取得部１４１は、パス情報を取得するたびに、取得したパス情報を３Ｇ用パス選択部１５１へ出力する。一方、パス情報取得部１４１は、ＨＳＤＰＡ用パス選択部１５２が起動状態である場合に、パス情報をＨＳＤＰＡ用パス選択部１５２へ出力する。同様に、パス情報取得部１４１は、ＨＳＵＰＡ用パス選択部１５３が起動状態である場合に、パス情報をＨＳＵＰＡ用パス選択部１５３へ出力する。
【００５７】
そして、３Ｇ用パス選択部１５１は、パス情報取得部１４１から入力されたパス情報をパス情報記憶部１６０に記憶させる（ステップＳ１０４）。具体的には、３Ｇ用パス選択部１５１は、セルを識別するためのスクランブリングコードなどに対応付けて、パスごとに、パスタイミング及び受信信号の電波レベルをパス情報記憶部１６０に記憶させる。
【００５８】
［実施例１に係る受信機１００によるＨＳＰＡ通信処理手順］
次に、図５を用いて、実施例１に係る受信機１００によるＨＳＰＡ通信処理の手順について説明する。図５は、実施例１に係る受信機１００によるＨＳＰＡ通信処理手順を示すフローチャートである。
【００５９】
図５に示すように、受信機１００の制御部１３０は、ＨＳＰＡ通信を開始する場合に（ステップＳ２０１肯定）、ＨＳＤＰＡ用パス選択部１５２又はＨＳＵＰＡ用パス選択部１５３を、休止状態から起動状態に切り替える（ステップＳ２０２）。具体的には、制御部１３０は、ＨＳＤＰＡ通信を開始する場合には、ＨＳＤＰＡ用パス選択部１５２を起動状態に切り替え、ＨＳＵＰＡ通信を開始する場合には、ＨＳＵＰＡ用パス選択部１５３を起動状態に切り替える。
【００６０】
続いて、制御部１３０によって起動されたＨＳＤＰＡ用パス選択部１５２又はＨＳＵＰＡ用パス選択部１５３は、パス情報記憶部１６０からパス情報を取得する（ステップＳ２０３）。具体的には、ＨＳＤＰＡ用パス選択部１５２又はＨＳＵＰＡ用パス選択部１５３は、パス情報記憶部１６０から、ＨＳＰＡサービングセルに対応付けて記憶されているパス情報を取得する。
【００６１】
続いて、ＨＳＤＰＡ用パス選択部１５２又はＨＳＵＰＡ用パス選択部１５３は、パス情報記憶部１６０から取得したパス情報に基づいて、ＨＳＰＡ通信に用いるパスを選択する（ステップＳ２０４）。そして、ＨＳＤＰＡ用パス選択部１５２又はＨＳＵＰＡ用パス選択部１５３は、選択したパスに関する情報を復調部１４２へ出力する。
【００６２】
続いて、復調部１４２は、ＨＳＤＰＡ用パス選択部１５２又はＨＳＵＰＡ用パス選択部１５３によって選択されたパスを伝送する信号をＲＡＫＥ合成する（ステップＳ２０５）。そして、復調部１４２は、ＲＡＫＥ合成した信号を復調する（ステップＳ２０６）。
【００６３】
具体的には、復調部１４２は、ＨＳＤＰＡ通信が行われている場合、ＨＳＤＰＡ用パス選択部１５２によって選択されたパスを伝送する信号をＲＡＫＥ合成して、ＲＡＫＥ合成した信号を復調する。また、復調部１４２は、ＨＳＵＰＡ通信が行われている場合、ＨＳＵＰＡ用パス選択部１５３によって選択されたパスを伝送する信号をＲＡＫＥ合成して、ＲＡＫＥ合成した信号を復調する。
【００６４】
［実施例１の効果］
上述してきたように、実施例１に係る受信機１００は、復調処理時の演算処理を行うＤＳＰを通信規格ごとに有し、ＨＳＰＡ通信を行わない場合には、ＨＳＰＡに対応するＤＳＰを休止状態にする。そして、受信機１００は、定期パスサーチを実行するたびにパス情報をパス情報記憶部１６０に記憶させておき、ＨＳＰＡ通信開始時に、パス情報記憶部１６０に記憶されているパス情報を用いて復調処理を行う。これにより、実施例１に係る受信機１００は、ＨＳＰＡ通信開始時に復調処理を行うことができるので、復調処理の遅延を抑制することができる。
【実施例２】
【００６５】
上記実施例１では、パスサーチを実行するたびに、取得したパス情報をパス情報記憶部１６０に記憶させる例を示した。しかし、受信機は、パス情報を記憶部に記憶させずに、パスサーチの実行タイミングを変動させてもよい。そこで、実施例２では、パスサーチの実行タイミングを変動させる受信機の例について説明する。
【００６６】
［実施例２に係る受信機２００によるパスサーチ処理］
まず、実施例２に係る受信機２００によるパスサーチ処理について説明する。実施例２に係る受信機２００は、ＨＳＰＡ通信を開始する場合に、現に実行しているパスサーチの状況に応じて、パスサーチを実行するセルの優先度を決定する。具体的には、受信機２００は、ＨＳＰＡ通信を開始する場合に、まず、ハンドオーバに伴ってＨＯサービングセルのパスサーチが実行中であるか否かを判定する。
【００６７】
受信機２００は、ＨＯサービングセルのパスサーチが実行中でない場合、定期パスサーチを停止する。そして、受信機２００は、ＨＳＰＡサービングセルのパスサーチを実行した後に、定期パスサーチを再開する。
【００６８】
一方、ＨＯサービングセルのパスサーチが実行中である場合、受信機２００は、定期パスサーチの実行を禁止する。そして、受信機２００は、以下のセルの順にパスサーチを実行する。まず、受信機２００は、ＨＳＰＡサービングセルと、ＨＯサービングセルとの双方に含まれるセルのパスサーチを実行する。続いて、受信機２００は、未実行のＨＯサービングセルのパスサーチを実行する。言い換えれば、受信機２００は、ＨＯサービングセルのうち、ＨＳＰＡサービングセルと異なるセルのパスサーチを実行する。最後に、受信機２００は、未実行のＨＳＰＡサービングセルのパスサーチを実行する。言い換えれば、受信機２００は、ＨＳＰＡサービングセルのうち、ＨＯサービングセルと異なるセルのパスサーチを実行する。
【００６９】
すなわち、ＨＯサービングセルのパスサーチが実行中である場合、受信機２００は、以下に示す優先度の順に、セルのパスサーチを実行する。なお、以下に示した優先度は、数値が小さいほど、優先度が高いものとする。
（優先度１）ＨＳＰＡサービングセル、かつ、ＨＯサービングセル
（優先度２）未実行のＨＯサービングセル
（優先度３）未実行のＨＳＰＡサービングセル
【００７０】
図６〜図１０を用いて具体的に説明する。図６〜図１０は、実施例２に係る受信機２００によるパスサーチ処理を説明するための図である。なお、図６〜図８は、ＨＯサービングセルのパスサーチが実行中ではない場合のパスサーチ処理の一例を示している。また、図９及び図１０は、ＨＯサービングセルのパスサーチが実行中である場合のパスサーチ処理の一例を示している。
【００７１】
図６に示した例において、受信機２００は、時刻ｔ１０に、定期パスサーチＡ、Ｂを順に実行する。ここで、受信機２００が、定期パスサーチＢが実行中である時刻ｔ１１にセルＡを用いたＨＳＰＡ通信を開始するものとする。かかる場合、受信機２００は、定期パスサーチＢを停止する。ここでは、ＨＯサービングセルのパスサーチが実行中ではないので、受信機２００は、図７に示した例のように、定期パスサーチＢを停止した後に、ＨＳＰＡサービングセルＡのパスサーチを実行する。そして、受信機２００は、パスサーチＡを実行した後に、定期パスサーチＢを再開する。
【００７２】
また、図６に示した例において、受信機２００が、時刻ｔ１２にセルＢを用いたＨＳＰＡ通信を開始するものとする。かかる場合、受信機２００は、図８に示した例のように、定期パスサーチの実行を禁止して、時刻ｔ１２にＨＳＰＡサービングセルＢのパスサーチを実行する。そして、受信機２００は、パスサーチＢを実行した後に、定期パスサーチを再開する。すなわち、受信機２００は、図８に示した例のように、時刻ｔ２０になった場合に、定期パスサーチＡ、Ｂを順に実行する。
【００７３】
これにより、受信機２００は、時刻ｔ１１にセルＡを用いたＨＳＰＡ通信を開始する場合や、時刻ｔ１２にセルＢを用いたＨＳＰＡ通信を開始する場合であっても、時刻ｔ２０に実行される定期パスサーチＡ、Ｂの終了を待たずに復調処理を行うことができる。
【００７４】
また、図９に示した例のように、受信機２００は、ＨＯサービングセルＣ及びＤのパスサーチＣ、Ｄを実行しているものとする。ここで、受信機２００が、パスサーチＣ、Ｄが実行中である時刻ｔ１３に、セルＡ及びＣを用いたＨＳＰＡ通信を開始するものとする。
【００７５】
かかる場合、受信機２００は、定期パスサーチの実行を禁止する。そして、受信機２００は、図１０に示した例のように、ＨＳＰＡサービングセル、かつ、ＨＯサービングセルであるセルＣのパスサーチを最初に実行する。これにより、受信機２００は、セルＣのパスサーチが終了した時点で、セルＣのパスを伝送する信号の復調処理を行うことができる。
【００７６】
続いて、受信機２００は、図１０に示した例のように、未実行のＨＯサービングセルであるセルＤのパスサーチを実行する。最後に、受信機２００は、未実行のＨＳＰＡサービングセルであるセルＡのパスサーチを実行する。これにより、受信機２００は、セルＡのパスサーチが終了した時点で、セルＡのパスを伝送する信号の復調処理を行うことができる。
【００７７】
そして、受信機２００は、パスサーチＡを実行した後に、定期パスサーチを再開する。すなわち、受信機２００は、図１０に示した例のように、時刻ｔ２０になった場合に、定期パスサーチＡ〜Ｄを実行する。
【００７８】
［実施例２に係る受信機２００の構成］
次に、図１１を用いて、実施例２に係る受信機２００の構成について説明する。図１１は、実施例２に係る受信機２００の構成例を示す図である。なお、以下では、図３に示した構成部位と同様の機能を有する部位には同一符号を付すこととして、その詳細な説明を省略する。
【００７９】
図１１に示すように、受信機２００は、アンテナ１１０と、Ｉ／Ｆ１２０と、制御部２３０と、ベースバンド部２４０と、パス選択部２５０とを有する。なお、図１１では、実施例２におけるパスサーチ処理に関連する構成を図示している。
【００８０】
制御部２３０は、受信機２００を全体制御する。例えば、制御部２３０は、図３に示した制御部１３０と同様に、制御部２３０に対してパスサーチを実行するように指示したり、パス選択部２５０の起動状態及び休止状態を切り替えたりする。
【００８１】
また、制御部２３０は、パスサーチ優先度決定部２３１を有する。パスサーチ優先度決定部２３１は、ＨＳＰＡ通信を開始する場合に、パスサーチの実行状況に応じて、パスサーチを実行するセルの優先度を決定する。
【００８２】
具体的には、パスサーチ優先度決定部２３１は、ＨＳＰＡ通信を開始する場合に、ＨＯサービングセルのパスサーチが実行中であるか否かを判定する。そして、パスサーチ優先度決定部２３１は、ＨＯサービングセルのパスサーチが実行中でない場合、パス情報取得部２４１に対して、定期パスサーチを停止するように指示する。その後、パスサーチ優先度決定部２３１は、パス情報取得部２４１に対して、ＨＳＰＡサービングセルのパスサーチを実行した後に、定期パスサーチを再開するように指示する。
【００８３】
一方、ＨＯサービングセルのパスサーチが実行中である場合、パスサーチ優先度決定部２３１は、パス情報取得部２４１に対して、定期パスサーチの実行を禁止するように指示する。そして、パスサーチ優先度決定部２３１は、パス情報取得部２４１に対して、ＨＳＰＡサービングセル、かつ、ＨＯサービングセルであるセルのパスサーチを実行するように指示する。続いて、パスサーチ優先度決定部２３１は、パス情報取得部２４１に対して、未実行のＨＯサービングセルのパスサーチを実行するように指示する。最後に、パスサーチ優先度決定部２３１は、パス情報取得部２４１に対して、未実行のＨＳＰＡサービングセルのパスサーチを実行するように指示する。
【００８４】
ベースバンド部２４０は、パス情報取得部２４１と、復調部２４２とを有する。パス情報取得部２４１は、制御部２３０の指示に従ってパスサーチを実行し、パスサーチにより取得したパス情報をパス選択部２５０へ出力する。
【００８５】
復調部２４２は、パス選択部２５０によって選択されたパスを伝送する信号を復調する。例えば、３Ｇの通信規格に準拠した通信を行っている場合、復調部２４２は、３Ｇ用パス選択部２５１によって選択されたパスを用いて復調処理を行う。また、ＨＳＤＰＡ通信を行っている場合、復調部２４２は、ＨＳＤＰＡ用パス選択部２５２によって選択されたパスを用いて復調処理を行う。また、ＨＳＵＰＡ通信を行っている場合、復調部２４２は、ＨＳＵＰＡ用パス選択部２５３によって選択されたパスを用いて復調処理を行う。
【００８６】
パス選択部２５０は、３Ｇ用パス選択部２５１と、ＨＳＤＰＡ用パス選択部２５２と、ＨＳＵＰＡ用パス選択部２５３とを有する。ＨＳＤＰＡ用パス選択部２５２、ＨＳＵＰＡ用パス選択部２５３は、図３に示したＨＳＤＰＡ用パス選択部１５２、ＨＳＵＰＡ用パス選択部１５３と同様に、制御部２３０によって、起動状態又は休止状態のいずれかに切り替えられる。
【００８７】
３Ｇ用パス選択部２５１は、受信機２００が３Ｇの通信規格に準拠した通信を行っている場合に、パス情報取得部２４１から入力されたパス情報に基づいて、通信に用いるパスを選択する。そして、３Ｇ用パス選択部２５１は、選択したパスに関する情報を復調部２４２へ出力する。
【００８８】
ＨＳＤＰＡ用パス選択部２５２は、受信機２００がＨＳＤＰＡ通信を開始する場合に、制御部２３０によって起動される。起動した後に、ＨＳＤＰＡ用パス選択部２５２は、パス情報取得部２４１から入力されるパス情報に基づいて、ＨＳＤＰＡ通信に用いるパスを選択し、選択したパスに関する情報を復調部２４２へ出力する。
【００８９】
図６及び図７に示した例を用いて説明する。例えば、図６に示した例において、受信機２００が、時刻ｔ１１にセルＡを用いたＨＳＤＰＡ通信を開始するものとする。かかる場合、ＨＳＤＰＡ用パス選択部２５２は、制御部２３０によって起動される。そして、図７に示した例のように、時刻ｔ１１に、パス情報取得部２４１によってパスサーチＡが実行される。かかるパスサーチＡが終了した場合に、ＨＳＤＰＡ用パス選択部２５２は、パス情報取得部２４１からパス情報を入力される。ＨＳＤＰＡ用パス選択部２５２は、入力されたパス情報を用いてパス選択処理を行う。
【００９０】
ＨＳＵＰＡ用パス選択部２５３は、受信機２００がＨＳＵＰＡ通信を開始する場合に、制御部２３０によって起動される。起動した後に、ＨＳＵＰＡ用パス選択部２５３は、パス情報取得部２４１から入力されるパス情報に基づいて、ＨＳＵＰＡ通信に用いるパスを選択し、選択したパスに関する情報を復調部２４２へ出力する。
【００９１】
［実施例２に係る受信機２００によるパスサーチ処理手順］
次に、図１２を用いて、実施例２に係る受信機２００によるパスサーチ処理の手順について説明する。図１２は、実施例２に係る受信機２００によるパスサーチ処理手順を示すフローチャートである。
【００９２】
図１２に示すように、受信機２００の制御部２３０は、ＨＳＰＡ通信を開始する場合に（ステップＳ３０１肯定）、ＨＳＤＰＡ用パス選択部２５２又はＨＳＵＰＡ用パス選択部２５３を、休止状態から起動状態に切り替える（ステップＳ３０２）。具体的には、制御部２３０は、ＨＳＤＰＡ通信を開始する場合には、ＨＳＤＰＡ用パス選択部２５２を起動状態に切り替え、ＨＳＵＰＡ通信を開始する場合には、ＨＳＵＰＡ用パス選択部２５３を起動状態に切り替える。
【００９３】
続いて、制御部２３０のパスサーチ優先度決定部２３１は、ＨＯサービングセルのパスサーチが実行中であるか否かを判定する。ＨＯサービングセルのパスサーチが実行中でない場合（ステップＳ３０３否定）、パスサーチ優先度決定部２３１は、パス情報取得部２４１に対して、定期パスサーチを停止するように指示する。かかる指示を受け付けたパス情報取得部２４１は、定期パスサーチを停止する（ステップＳ３０４）。
【００９４】
続いて、パスサーチ優先度決定部２３１は、パス情報取得部２４１に対して、ＨＳＰＡサービングセルのパスサーチを実行するように指示する。かかる指示を受け付けたパス情報取得部２４１は、ＨＳＰＡサービングセルのパスサーチを実行する（ステップＳ３０５）。続いて、パスサーチ優先度決定部２３１は、パス情報取得部２４１に対して、定期パスサーチを再開するように指示する。かかる指示を受け付けたパス情報取得部２４１は、定期パスサーチを再開する（ステップＳ３０６）。
【００９５】
一方、ＨＯサービングセルのパスサーチが実行中である場合（ステップＳ３０３肯定）、パスサーチ優先度決定部２３１は、パス情報取得部２４１に対して、定期パスサーチの実行を禁止するように指示する。かかる指示を受け付けたパス情報取得部２４１は、定期パスサーチの実行を禁止する（ステップＳ３０７）。
【００９６】
続いて、パスサーチ優先度決定部２３１は、パス情報取得部２４１に対して、ＨＳＰＡサービングセル、かつ、ＨＯサービングセルであるセルのパスサーチを実行するように指示する。かかる指示を受け付けたパス情報取得部２４１は、ＨＳＰＡサービングセル、かつ、ＨＯサービングセルであるセルのパスサーチを実行する（ステップＳ３０８）。
【００９７】
続いて、パスサーチ優先度決定部２３１は、パス情報取得部２４１に対して、未実行のＨＯサービングセルのパスサーチを実行するように指示する。かかる指示を受け付けたパス情報取得部２４１は、未実行のＨＯサービングセルのパスサーチを実行する（ステップＳ３０９）。
【００９８】
続いて、パスサーチ優先度決定部２３１は、パス情報取得部２４１に対して、未実行のＨＳＰＡサービングセルのパスサーチを実行するように指示する。かかる指示を受け付けたパス情報取得部２４１は、未実行のＨＳＰＡサービングセルのパスサーチを実行する（ステップＳ３１０）。
【００９９】
そして、パスサーチ優先度決定部２３１は、パス情報取得部２４１に対して、定期パスサーチを再開するように指示する。かかる指示を受け付けたパス情報取得部２４１は、定期パスサーチを再開する（ステップＳ３０６）。
【０１００】
［実施例２の効果］
上述してきたように、実施例２に係る受信機２００は、ＨＳＰＡ通信を開始する場合に、パスサーチの実行状況に応じて、パスサーチを実行するセルの優先度を決定する。これにより、実施例２に係る受信機２００は、ＨＳＰＡ通信開始時に復調処理を行うことができるので、復調処理の遅延を抑制することができる。
【０１０１】
具体的には、実施例２に係る受信機２００は、ＨＳＰＡ通信を開始する場合に、ＨＯサービングセルのパスサーチが実行中でなければ、ＨＳＤＰＡ用パス選択部２５２又はＨＳＵＰＡ用パス選択部２５３を起動状態に切り替える。そして、受信機２００は、定期パスサーチを停止するとともに、ＨＳＰＡサービングセルのパスサーチを実行する。これにより、ＨＳＤＰＡ用パス選択部２５２又はＨＳＵＰＡ用パス選択部２５３は、起動後にパス選択処理を行うことができる。その結果、受信機２００は、ＨＳＰＡ通信開始時に復調処理を行うことができるので、復調処理の遅延を抑制することができる。
【０１０２】
また、実施例２に係る受信機２００は、ＨＳＰＡ通信を開始する場合に、ＨＯサービングセルのパスサーチが実行中であれば、ＨＳＤＰＡ用パス選択部２５２又はＨＳＵＰＡ用パス選択部２５３を起動状態に切り替える。そして、受信機２００は、定期パスサーチの実行を禁止するとともに、ＨＳＰＡサービングセルとＨＯサービングセルとの双方に含まれるセルのパスサーチを実行する。これにより、受信機２００は、ＨＳＰＡサービングセルとＨＯサービングセルとの双方に含まれるセルのパスサーチが終了した時点で、かかるセルを用いたＨＳＰＡ通信を開始することができる。
【０１０３】
また、実施例２に係る受信機２００は、ＨＳＰＡサービングセルとＨＯサービングセルとの双方に含まれるセルのパスサーチを実行した後に、未実行のＨＯサービングセルのパスサーチを実行する。そして、受信機２００は、未実行のＨＯサービングセルのパスサーチを実行した後に、未実行のＨＳＰＡサービングセルのパスサーチを実行する。これにより、受信機２００は、未実行のＨＳＰＡサービングセルのパスサーチが終了した時点で、かかるセルを用いたＨＳＰＡ通信を開始することができる。
【実施例３】
【０１０４】
ところで、本願の開示する受信機及び受信方法は、上述した実施例以外にも、種々の異なる形態にて実施されてよい。そこで、実施例３では、本願の開示する受信機及び受信方法の他の実施例について説明する。
【０１０５】
［パス情報格納処理］
上記実施例１では、３Ｇ用パス選択部１５１が、パス情報をパス情報記憶部１６０に格納する例を示した。しかし、本願の開示する受信機及び受信方法は、これに限られず、パス情報取得部１４１が、取得したパス情報をパス情報記憶部１６０に格納してもよい。
【０１０６】
［復調処理１］
また、上記実施例１及び２では、復調部１４２又は２４２によってＲＡＫＥ合成処理や復調処理等を行う例を示した。しかし、本願の開示する受信機及び受信方法は、これに限られず、他の処理部が、ＲＡＫＥ合成処理や復調処理等を行ってもよい。例えば、図３に示したパス選択部１５０内の各パス選択部１５１〜１５３が、ＲＡＫＥ合成処理や復調処理等を行ってもよい。同様に、図１１に示したパス選択部２５０内の各パス選択部２５１〜２５３が、ＲＡＫＥ合成処理や復調処理等を行ってもよい。
【０１０７】
［復調処理２］
また、上記実施例１及び２では、復調部１４２又は２４２が、ＲＡＫＥ合成処理を行った後に、復調処理を行う例を示した。しかし、本願の開示する受信機及び受信方法は、これに限られず、復調部１４２又は復調部２４２は、復調処理を行った後に、復調された信号をＲＡＫＥ合成してもよい。
【０１０８】
［パスサーチ実行指示］
また、上記実施例１及び２では、制御部１３０又は２３０が、パスサーチを実行する旨の指示を行う例を示した。しかし、本願の開示する受信機及び受信方法は、これに限られず、他の処理部が、パスサーチ実行指示を行ってもよい。例えば、図３に示した３Ｇ用パス選択部１５１がパスサーチ実行指示を行ってもよい。同様に、図１１に示した３Ｇ用パス選択部２５１がパスサーチ実行指示を行ってもよい。
【０１０９】
［システム構成等］
また、上記文書中や図面中で示した処理手順、制御手順、具体的名称、各種のデータやパラメータを含む情報については、特記する場合を除いて任意に変更することができる。また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵ（Central  Processing  Unit）及び当該ＣＰＵにて解析実行されるプログラムにて実現され、あるいは、ワイヤードロジックによるハードウェアとして実現され得る。
【０１１０】
以上の各実施例を含む実施形態に関し、さらに以下の付記を開示する。
【０１１１】
（付記１）第一の通信規格に準拠した第一の信号と、第二の通信規格に準拠した第二の信号とを、複数のパスを介して受信する受信機であって、
前記複数のパスに関する情報であるパス情報を取得するパス情報取得部と、
前記パス情報取得部によって取得されたパス情報をパスごとに記憶するパス情報記憶部と、
前記第一の通信規格による通信を行う場合に、前記パス情報取得部によって取得されたパス情報に基づいて、通信に用いるパスを選択する第一のパス選択部と、
前記第二の通信規格による通信を行う場合に、前記第二の信号を処理する処理部を休止状態から起動状態に切り替え制御する制御部と、
前記制御部によって休止状態から起動状態に切えられた場合に、前記パス情報記憶部に記憶されているパス情報に基づいて、通信に用いるパスを選択する第二のパス選択部と、
前記第一のパス選択部又は第二のパス選択部によって選択されたパスを伝送する信号を復調する復調部と
を備えたことを特徴とする受信機。
【０１１２】
（付記２）複数のパスを介して信号を受信する受信機であって、
前記複数のパスに関する情報であるパス情報を取得するパス情報取得部と、
前記パス情報取得部によって取得されたパス情報をパスごとに記憶するパス情報記憶部と、
通信を行う場合に、前記信号を処理する処理部を休止状態から起動状態に切り替え制御する制御部と、
前記制御部によって休止状態から起動状態に切えられた場合に、前記パス情報記憶部に記憶されているパス情報に基づいて、通信に用いるパスを選択するパス選択部と、
前記パス選択部によって選択されたパスを伝送する信号を復調する復調部と
を備えたことを特徴とする受信機。
【０１１３】
（付記３）第一の通信規格に準拠した第一の信号と、第二の通信規格に準拠した第二の信号とを、複数のパスを介して受信する受信機であって、
前記第一の通信規格による通信を行っている場合に、前記複数のパスに関する情報であるパス情報を定期的に取得し、前記第二の通信規格による通信を行う場合に、定期的にパス情報を取得する処理を停止するとともに、前記第二の通信規格による通信に用いられるセルであるサービングセルのパス情報を取得するパス情報取得部と、
前記第一の通信規格による通信を行う場合に、前記パス情報取得部によって定期的に取得されたパス情報に基づいて、通信に用いるパスを選択する第一のパス選択部と、
前記第二の通信規格による通信を行う場合に、前記第二の信号を処理する処理部を休止状態から起動状態に切り替え制御する制御部と、
前記制御部によって休止状態から起動状態に切えられた場合に、前記パス情報取得部によって取得されたサービングセルのパス情報に基づいて、通信に用いるパスを選択する第二のパス選択部と、
前記第一のパス選択部又は第二のパス選択部によって選択されたパスを伝送する信号を復調する復調部と
を備えたことを特徴とする受信機。
【０１１４】
（付記４）前記パス情報取得部は、前記第二の通信規格による通信が終了した場合に、定期的にパス情報を取得する処理を再開することを特徴とする付記３に記載の受信機。
【０１１５】
（付記５）前記パス情報取得部は、ハンドオーバに伴って新たなセルであるハンドオーバセルのパス情報を取得する処理を行っている間に前記第二の通信規格による通信を行う場合に、定期的にパス情報を取得する処理を停止するとともに、前記サービングセル、かつ、前記ハンドオーバセルであるセルのパス情報を取得することを特徴とする付記３に記載の受信機。
【０１１６】
（付記６）前記パス情報取得部は、前記サービングセル、かつ、前記ハンドオーバセルであるセルのパス情報を取得した後に、前記ハンドオーバセルのうち、前記サービングセルと異なるセルのパス情報を取得し、前記サービングセルのうち、前記ハンドオーバセルと異なるセルのパス情報を取得することを特徴とする付記５に記載の受信機。
【０１１７】
（付記７）前記パス情報取得部は、前記サービングセル及び前記ハンドオーバセルのパス情報を取得した後に、定期的にパス情報を取得する処理を再開することを特徴とする付記６に記載の受信機。
【０１１８】
（付記８）第一の通信規格に準拠した第一の信号と、第二の通信規格に準拠した第二の信号とを、複数のパスを介して受信する受信機による受信方法であって、
前記受信機が、
前記複数のパスに関する情報であるパス情報を取得するパス情報取得ステップと、
前記パス情報取得ステップによって取得されたパス情報をパスごとに、パス情報記憶部に格納するパス情報格納ステップと、
前記第一の通信規格による通信を行う場合に、前記パス情報取得ステップによって取得されたパス情報に基づいて、通信に用いるパスを選択する第一のパス選択ステップと、
前記第二の通信規格による通信を行う場合に、前記第二の信号を処理する処理部を休止状態から起動状態に切り替え制御する制御ステップと、
前記制御ステップによって休止状態から起動状態に切えられた場合に、前記パス情報記憶部に記憶されているパス情報に基づいて、通信に用いるパスを選択する第二のパス選択ステップと、
前記第一のパス選択ステップ又は第二のパス選択ステップによって選択されたパスを伝送する信号を復調する復調ステップと
を含んだことを特徴とする受信方法。
【０１１９】
（付記９）第一の通信規格に準拠した第一の信号と、第二の通信規格に準拠した第二の信号とを、複数のパスを介して受信する受信機による受信方法であって、
前記受信機が、
前記第一の通信規格による通信を行っている場合に、前記複数のパスに関する情報であるパス情報を定期的に取得し、前記第二の通信規格による通信を行う場合に、定期的にパス情報を取得する処理を停止するとともに、前記第二の通信規格による通信に用いられるセルであるサービングセルのパス情報を取得するパス情報取得ステップと、
前記第一の通信規格による通信を行う場合に、前記パス情報取得ステップによって定期的に取得されたパス情報に基づいて、通信に用いるパスを選択する第一のパス選択ステップと、
前記第二の通信規格による通信を行う場合に、前記第二の信号を処理する処理部を休止状態から起動状態に切り替え制御する制御ステップと、
前記制御ステップによって休止状態から起動状態に切えられた場合に、前記パス情報取得ステップによって取得されたサービングセルのパス情報に基づいて、通信に用いるパスを選択する第二のパス選択ステップと、
前記第一のパス選択ステップ又は第二のパス選択ステップによって選択されたパスを伝送する信号を復調する復調ステップと
を含んだことを特徴とする受信方法。
【符号の説明】
【０１２０】
１００、２００  受信機
１１０  アンテナ
１２０  Ｉ／Ｆ
１３０、２３０  制御部
１４０、２４０  ベースバンド部
１４１、２４１  パス情報取得部
１４２、２４２  復調部
１５０、２５０  パス選択部
１５１、２５１  ３Ｇ用パス選択部
１５２、２５２  ＨＳＤＰＡ用パス選択部
１５３、２５３  ＨＳＵＰＡ用パス選択部
１６０  パス情報記憶部
２３１  パスサーチ優先度決定部
９００  受信機
９１０  アンテナ
９２０  Ｉ／Ｆ
９３０  制御部
９４０  ベースバンド部
９４１  パス情報取得部
９４２  復調部
９５０  パス選択部
９５１  ３Ｇ用パス選択部
９５２  ＨＳＤＰＡ用パス選択部
９５３  ＨＳＵＰＡ用パス選択部
【図１】
2010268311.tif 000003
【図２】
2010268311.tif 000004
【図３】
2010268311.tif 000005
【図４】
2010268311.tif 000006
【図５】
2010268311.tif 000007
【図６】
2010268311.tif 000008
【図７】
2010268311.tif 000009
【図８】
2010268311.tif 000010
【図９】
2010268311.tif 000011
【図１０】
2010268311.tif 000012
【図１１】
2010268311.tif 000013
【図１２】
2010268311.tif 000014
【図１３】
2010268311.tif 000015
【図１４】
2010268311.tif 000016
【図１５】
2010268311.tif 000017